(57)【特許請求の範囲】
【請求項１】
装置本体内に、用紙を供給する用紙供給部と、供給された用紙に画像を形成する画像形成部と、画像形成済み用紙を排紙する排紙部とを備えた画像形成装置において、
排紙部が、
画像形成済み用紙を積載するための用紙積載部と、
この用紙積載部に画像形成済み用紙を排紙する排紙ローラを備えた排紙ローラ部と、
前記用紙積載部に画像形成済み用紙を排紙する際に該画像形成済み用紙の後端を接触させることにより画像形成済み用紙の排紙方向を整える用紙接触用壁面を有する壁部と、
前記壁部の用紙接触用壁面が前記排紙ローラの軸方向に対して平行になるよう調整支持するための壁部の調整支持部と
からなることを特徴とする画像形成装置。
【請求項２】
壁部の調整支持部が、
壁部を前記排紙ローラの一方端近傍で支点支持する一方の支持部材と、
壁部を前記排紙ローラの他方端近傍で前記用紙接触用壁面が前記排紙ローラの軸方向に対して平行になるよう前記支点を中心に水平方向に位置変更調整可能に支持する他方の支持部材と
からなることを特徴とする請求項１に記載の画像形成装置。
【請求項３】
他方の支持部材が、壁部の他方端で折り曲げられた折り曲げ片と、この折り曲げ片に形成され、水平方向に長いスリット部と、装置本体に前記折り曲げ片を水平方向に位置変更調整可能に前記スリット部を介して仮止めし、位置変更調整後、締付け固定する固定具とからなる請求項２に記載の画像形成装置。
【請求項４】
他方の支持部材が、壁部の他方端で折り曲げられた折り曲げ片と、装置本体に形成され、水平方向に長いスリット部と、前記折り曲げ片を水平方向に位置変更調整可能に前記スリット部を介して仮止めし、位置変更調整後、締付け固定する固定具とからなる請求項２に記載の画像形成装置。
【請求項５】
一方の支持部材が、壁部を排紙ローラの略軸方向に沿っても位置変更可能であることを特徴とする請求項２〜４のいずれか１つに記載の画像形成装置。
【請求項６】
一方の支持部材が、壁部の一方端から排紙ローラの略軸方向に突出する突出棒と、この突出棒を支点支持可能に挿通させ支持する、装置本体に形成された丸孔部とからなることを特徴とする請求項４に記載の画像形成装置。
【発明の詳細な説明】
【技術分野】
【０００１】
本発明は、画像形成装置に関し、さらに詳しくは、装置本体内に、用紙を供給する用紙供給部と、供給された用紙に画像を形成する画像形成部と、画像形成済み用紙を排紙する排紙部とを備えた画像形成装置に関する。
【背景技術】
【０００２】
従来、排紙部に設けられる排紙ローラの下方には、装置内部が露出しないよう壁部または区画壁部が設けられている。排出された画像形成済み用紙が用紙載置部上に落下する際に、画像形成済み用紙の後端が壁部の壁面に接触して（沿って）落下し、画像形成済み用紙の載置方向を整えている。しかし、壁面と排紙ローラの軸方向とに平行性が保たれていない場合は、画像形成済み用紙が斜め方向にずれて、用紙載置部上の用紙載置位置が不揃いになるおそれがある。
【０００３】
特許文献１に開示されている排紙部には、排紙ローラ直下に排紙トレイの壁部が配置されているが、排紙ローラと排紙トレイが分割されている。すなわち、排紙ローラの軸方向と排紙トレイの壁面とが、平行に保たれていない可能性があり、その場合には、画像形成済み用紙の載置位置が不揃いになるおそれがある。
【特許文献１】特開２００２−１８２４４１号公報
【発明の開示】
【発明が解決しようとする課題】
【０００４】
本発明の主要な目的の一つは、画像形成済み用紙の載置位置の不揃いを改善できるようにすることである。
【課題を解決するための手段】
【０００５】
本発明は、装置本体内に、用紙を供給する用紙供給部と、供給された用紙に画像を形成する画像形成部と、画像形成済み用紙を排紙する排紙部とを備えた画像形成装置において、
排紙部が、
画像形成済み用紙を積載するための用紙積載部と、
この用紙積載部に画像形成済み用紙を排紙する排紙ローラを備えた排紙ローラ部と、
前記用紙積載部に画像形成済み用紙を排紙する際に該画像形成済み用紙の後端を接触させることにより画像形成済み用紙の排紙方向を整える用紙接触用壁面を有する壁部と、
前記壁部の用紙接触用壁面が前記排紙ローラの軸方向に対して平行になるよう調整支持するための壁部の調整支持部と
からなることを特徴とする画像形成装置を提供する。
【０００６】
本発明は、別の観点によれば、装置本体内に、用紙を供給する用紙供給部と、供給された用紙に画像を形成する画像形成部と、画像形成済み用紙を排紙する排紙部とを備えた画像形成装置において、
排紙部が、
画像形成済み用紙を積載するための用紙積載部と、
この用紙積載部に画像形成済み用紙を排紙する一対の排紙ローラ、およびこれらの排紙ローラを平行に対向接触させて軸支させたローラボックスからなる排紙ローラ部と、
前記用紙積載部に画像形成済み用紙を排紙する際に該画像形成済み用紙の後端を接触させることにより画像形成済み用紙の排紙方向を整える用紙接触用壁面を有する壁部と、
前記壁部の用紙接触用壁面が前記排紙ローラの軸方向に対して平行になるよう支持するための壁部の支持部と
を備え、
壁部の支持部が、ローラボックスから前記一対の排紙ローラの一方端の各軸支部分を結ぶ線上に垂下する第１ボスと、壁部に形成され、前記第１ボスに係合する第１係合孔部とからなる第１支持部材と、
ローラボックスから前記一対の排紙ローラの他方端の各軸支部分を結ぶ線上に垂下する第２ボスと、壁部に形成され、前記第２ボスに係合する第２係合部とからなり、前記用紙接触用壁面が、前記第２係合孔部と前記第１係合孔部とを結ぶ線に平行な第２支持部材と
からなることを特徴とする画像形成装置を提供できる。
【発明の効果】
【０００７】
本発明によれば、壁面と排紙ローラの軸方向との平行度を調整できるようにするか、予め壁面を排紙ローラの軸方向と平行になるように設定することによって、壁面と排紙ローラの軸方向との平行度を確保できるようにし、それによって、用紙載置部上での、画像形成済み用紙の載置方向の不揃いを改善できる。
【発明を実施するための最良の形態】
【０００８】
本発明は、装置本体内に、用紙を供給する用紙供給部と、供給された用紙に画像を形成する画像形成部と、画像形成済み用紙を排紙する排紙部とを備えた画像形成装置を対象としている。
本発明に係る画像形成装置は、排紙部が、画像形成済み用紙を積載するための用紙積載部と、この用紙積載部に画像形成済み用紙を排紙する排紙ローラを備えた排紙ローラ部と、前記用紙積載部に画像形成済み用紙を排紙する際に該画像形成済み用紙の後端を接触させることにより画像形成済み用紙の排紙方向を整える用紙接触用壁面を有する壁部と、前記壁部の用紙接触用壁面が前記排紙ローラの軸方向に対して平行になるよう調整支持するための壁部の調整支持部とからなることを特徴とする。
【０００９】
本発明において、壁部の調整支持部は、具体的には、壁部を排紙ローラの一方端近傍で支点支持する一方の支持部材と、壁部を排紙ローラの他方端近傍で用紙接触用壁面が排紙ローラの軸方向に対して平行になるよう前記支点を中心に水平方向に位置変更調整可能に支持する他方の支持部材とからなる構成を例示できる。この場合、いつでも（装置組み立て時でも、その後でも）、画像形成済み用紙が不揃いになっているときに用紙接触用壁面が排紙ローラの軸方向に対して平行になるように、調整できるので好ましい。
【００１０】
ここで、他方の支持部材としては、壁部の他方端で折り曲げられた折り曲げ片と、この折り曲げ片に形成され、水平方向に長いスリット部と、装置本体に前記折り曲げ片を水平方向に位置変更調整可能に前記スリット部を介して仮止めし、位置変更調整後、締付け固定する固定具とからなる構成を好ましいものとして挙げられる。
もちろん、この他方の支持部材において、壁部の折り曲げ片と装置本体とは相対的な関係にあり、他方の支持部材を、壁部の他方端で折り曲げられた折り曲げ片と、装置本体に形成され、水平方向に長いスリット部と、前記折り曲げ片を水平方向に位置変更調整可能に前記スリット部を介して仮止めし、位置変更調整後、締付け固定する固定具とで構成してもよい。
次いで、一方の支持部材は、排紙ローラの略軸方向に沿って位置変更可能であれば、排紙ローラの長さ（両端の間の距離）のバラツキを吸収できるので、より好ましい。
そして、具体的には、一方の支持部材が、壁部の一方端から排紙ローラの略軸方向に突出する突出棒と、この突出棒を支点支持可能に挿通させ支持する、装置本体に形成された丸孔部とからなる構成を好ましいものとして挙げられる。
【００１１】
本発明に係る画像形成装置は、さらに、排紙部が、
画像形成済み用紙を積載するための用紙積載部と、
この用紙積載部に画像形成済み用紙を排紙する一対の排紙ローラ、およびこれらの排紙ローラを平行に対向接触させて軸支させたローラボックスからなる排紙ローラ部と、
前記用紙積載部に画像形成済み用紙を排紙する際に該画像形成済み用紙の後端を接触させることにより画像形成済み用紙の排紙方向を整える用紙接触用壁面を有する壁部と、
前記壁部の用紙接触用壁面が前記排紙ローラの軸方向に対して平行になるよう支持するための壁部の支持部と
を備え、
壁部の支持部が、ローラボックスから前記一対の排紙ローラの一方端の各軸支部分を結ぶ線上に垂下する第１ボスと、壁部に形成され、前記第１ボスに係合する第１係合孔部とからなる第１支持部材と、
ローラボックスから前記一対の排紙ローラの他方端の各軸支部分を結ぶ線上に垂下する第２ボスと、壁部に形成され、前記第２ボスに係合する第２係合部とからなり、前記用紙接触用壁面が、前記第２係合孔部と前記第１係合孔部とを結ぶ線に平行な第２支持部材とで構成し、予め壁面を排紙ローラの軸方向と平行になるように設定することによって、壁面と排紙ローラの軸方向との平行度を確保できるようにし、それによって、用紙載置部上での、画像形成済み用紙の載置方向の不揃いを改善できる。
【００１２】
ここで、第２係合部を、用紙接触用壁面に平行方向に長く第２ボスの係合位置変更を許容する第２長孔部とすれば、排紙ローラの長さ（両端の間の距離）寸法のバラツキを吸収できるので、より好ましい。
なお、壁部は、装置本体内に、用紙積載部と分離して、または分離可能に配設されてもよく、用紙積載部と一体的に配設されてもよい。
以下、本発明に係る画像形成装置を、図に示す実施の形態に基づいて説明する。
＜実施の形態１＞
【００１３】
図１は本発明に係る画像形成装置の実施の形態１および２を共通に示す全体構成説明図である。
図２Ａは実施の形態１の要部説明平面図であり、図２Ｂは同じく側面図、図２Ｃは実施の形態１の壁部の説明斜視図である。
まず、図１において、画像形成装置１００の概要を示す。
画像形成装置１００は、装置本体１１０内に、用紙を供給する用紙供給部８と、供給された用紙に画像を形成する画像形成部７と、画像形成済み用紙を排紙する排紙部９とを備えている。
画像形成部７は、露光ユニット１、現像器２、感光体ドラム３、クリーナユニット４、帯電器５、中間転写ベルトユニット６および定着ユニット７０から主としてなる。
【００１４】
さて、排紙部９は、特に図２Ａ、２Ｂおよび２Ｃにおいて、画像形成済み用紙を積載するための用紙積載部９３（図１の９aに相当）と、この用紙積載部に画像形成済み用紙を排紙する一対の排紙ローラ９４ｂ（図１の１２ｂに相当）を備えた排紙ローラ部９４と、用紙積載部９３に画像形成済み用紙を排紙するに際に画像形成済み用紙の後端を接触させることにより画像形成済み用紙の排紙方向を整えるための用紙接触用壁面９５を有する壁部９６（図１の９ｂに相当）と、この壁部を、排紙ローラ９４ｂの下方で、用紙接触用壁面９５が排紙ローラ９４ｂの軸方向に対して平行に調整支持する壁部の調整支持部９７とからなる。
【００１５】
この壁部の調整支持部９７は、壁部９６の一方端（内折り曲げ片９８ｂ）から排紙ローラ９４ｂの略軸方向に突出する突出棒（ボス）９８と、この突出棒を支点支持可能に挿通させ支持する、装置本体１１０に形成された丸孔部９８ａとからなる一方の支持部材を備えている。
さらに壁部の調整支持部９７は、壁部９６の他方端で外側に折り曲げられた外折り曲げ片９９と、この外折り曲げ片に形成され、水平方向に長いスリット部としての長孔部９９ａおよび垂下固定された指針９９ｂと、装置本体１１０に形成されたビス孔（図示省略）と、このビス孔に、装置本体に外折り曲げ片９９を水平方向に位置変更調整可能に長孔部９９ａを介して仮止めし、位置変更調整後、締付け固定する固定具としてのビス９９ｃとからなる他方の支持部材を備えている。
【００１６】
かくして、壁部９６は、その突出棒９８を丸孔部９８ａに挿通させて支点支持させながら、外折り曲げ片９９を、ビス９９ｃにより長孔部９９ａを介して仮止めし、外折り曲げ片９９を、用紙接触用壁面９５が排紙ローラ９４ｂのローラ軸と平行になるように位置変更調整する。しかる後、ビス９９ｃを強く締め付けて、壁部９６を位置変更調整壁後の位置に固定する。このように、用紙接触用壁面９５が排紙ローラ９４ｂのローラ軸と平行になるように調整することによって、画像形成済み用紙を一定の方向に排紙でき、それによって、画像形成済み用紙が不揃いになるのを防止できる。
【００１７】
もちろん、この壁部９６の調整支持部９７によれば、いつでも（装置組み立て時でも、その後でも）、画像形成済み用紙が不揃いになっているときには、用紙接触用壁面が排紙ローラの軸方向に対して平行になるように調整できる。
ここで、壁部の突出棒９８は、丸孔部９８ａに支点支持可能に挿通させている。従って、丸孔部９８ａは、壁部９６の長さが少し変っても、突出棒９８を挿通状態に維持でき、排紙ローラ９４ｂの長さ（両端の間の距離）寸法のバラツキを吸収できる。
なお、目盛刻印２００は、装置本体１１０（前方フレーム）に形成され、指針９９ｂを目盛刻印２００に合わせることにより、壁部９６の位置変更調整の目安を知ることができ、それによって調整操作を容易にしている。
【００１８】
以上の実施の形態１の構成は、壁面９５の平行性のずれが壁部９６の装置本体１１０（本体フレーム）に対する固定位置のずれや部品の歪みに起因する場合に有効である。壁部９６は樹脂成型品であり、固定位置のずれや部品の歪みは傾向的に発生するので、ビス９９ｂによる固定位置を目盛のどの位置とするかは、いくつかのサンプルを測定して平行性を確認し決定すればよい。
【００１９】
以下、図１において、画像形成装置１００の全体の構造と作用を概略補足説明する。
画像形成装置１００は、外部から伝達された画像データに応じて、所定のシート（記録用紙）に対して多色及び単色の画像を形成するもので、装置本体１１０と、自動原稿処理装置１２０とにより構成されている。
【００２０】
装置本体１１０の上部には、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことができるようになっている。
【００２１】
この画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２２】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２３】
露光ユニット１は、所謂、画像書込み装置に該当するものであり、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。露光ユニット１を構成する光走査装置の構成は、後に具体的に説明する。また露光ユニット１としては、この他発光素子をアレイ状に並べた、例えばＥＬやＬＥＤ書込みヘッドを用いる手法も採用できる。
【００２４】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２５】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００２６】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００２７】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００２８】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。
【００２９】
中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。なお、本実施形態では転写電極としてローラ形状を使用しているが、それ以外にブラシなども用いることが可能である。
【００３０】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３１】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３２】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。
【００３３】
中間転写ベルトクリーニングユニット６５には、中間転写ベルト６１に接触する、例えばクリーニング部材としてクリーニングブレードが備えられており、クリーニングブレードが接触する中間転写ベルト６１は、裏側から中間転写ベルト従動ローラ６３で支持されている。
【００３４】
給紙カセット８１は、画像形成に使用するシート（記録用紙）を蓄積しておくためのトレイであり、装置本体１１０の露光ユニット１の下側に設けられている。また手差し給紙カセット８２にも画像形成に使用するシートを置くことができる。また、装置本体１１０の上方に設けられている排紙トレイ９１は、印刷済みのシートをフェイスダウンで集積するためのトレイである。
【００３５】
また装置本体１１０には、給紙カセット８１及び手差し給紙カセット８２のシートを転写ローラ１０や定着ユニット７０を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７０等が配されている。
【００３６】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００３７】
また、レジストローラ１３は、用紙搬送路Ｓを搬送されているシートを一旦保持するものである。そして、感光体ドラム３上のトナー像の先端とシートの先端を合わせるタイミングでシートを転写ローラ１０に搬送する機能を有している。
【００３８】
定着ユニット７０は、ヒートローラ７１及び加圧ローラ７２を備えており、ヒートローラ７１及び加圧ローラ７２は、シートを挟んで回転するようになっている。またヒートローラ７１は、図示しない温度検出器からの信号に基づいて制御部によって所定の定着温度となるように設定されており、加圧ローラ７２とともにトナーをシートに熱圧着することにより、シートに転写された多色トナー像を溶融・混合・圧接し、シートに対して熱定着させる機能を有している。またヒートローラ７１を外部から加熱するための外部加熱ベルト７３が設けられている。
【００３９】
次にシート搬送経路を詳細に説明する。
上述のように、画像形成装置には予めシートを収納する給紙カセット８１、及び手差し給紙カセット８２が設けられている。これら給紙カセット８１，８２からシートを給紙するために、各々ピックアップローラ１１ａ，１１ｂが配置され、シートを１枚ずつ搬送路Ｓに導くようになっている。
【００４０】
各給紙カセット８１，８２から搬送されるシートは用紙搬送路Ｓの搬送ローラ１２ａによってレジストローラ１３まで搬送され、シートの先端と中間転写ベルト６１上の画像情報の先端を整合するタイミングで転写ローラ１０に搬送され、シート上に画像情報が書き込まれる。その後、シートは定着ユニット７を通過することによってシート上の未定着トナーが熱で溶融・固着され、その後に配された排紙ローラとしての搬送ローラ１２ｂを経て排紙トレイ９１上に排出される。
【００４１】
上記の搬送経路は、シートに対する片面印字要求のときのものであるが、これに対して両面印字要求の時は、上記のように片面印字が終了し定着ユニット７０を通過したシートの後端が最終の搬送ローラ１２ｂで把持されたときに、搬送ローラ１２ｂが逆回転することによってシートを搬送ローラ１２ｃ，１２ｄに導く。そしてその後レジストローラ１３を経てシート裏面に印字が行われた後にシートが排紙トレイ９１に排出される。
＜実施の形態２＞
【００４２】
図３Ａは実施の形態２の要部説明平面図であり、図３Ｂは同じく側面図、図３Ｃは実施の形態２の壁部の説明斜視図である。
図１、図３Ａ、図３Ｂおよび図３Ｃにおいて、実施の形態１と同様、画像形成装置１００は、装置本体１１０内に、用紙を供給する用紙供給部８と、供給された用紙に画像を形成する画像形成部７と、画像形成済み用紙を排紙する排紙部９とを備えている。
画像形成部７は、露光ユニット１、現像器２、感光体ドラム３、クリーナユニット４、帯電器５、中間転写ベルトユニット６および定着ユニット７０から主としてなる。
【００４３】
さて、排紙部９は、図３Ａ、図３Ｂおよび図３Ｃにおいて、画像形成済み用紙を積載するための用紙積載部１９３と、この用紙積載部に画像形成済み用紙を排紙する排紙ローラ１９４ｂを備えた排紙ローラ部１９４と、用紙積載部１９３に排紙される画像形成済み用紙の後端を接触させることにより画像形成済み用紙の排紙方向を整えるための用紙接触用壁面１９５を有する壁部１９６と、この壁部を、排紙ローラ１９４ｂの下方で、用紙接触用壁面１９５が排紙ローラ１９４ｂの軸方向に対して平行になるよう支持する壁部１９６の支持部１９７とからなる。
【００４４】
排紙ローラ部１９４は、一対の排紙ローラ１９４ｂと、これらの排紙ローラを上下に、かつ平行に対向接触させて軸支させたローラボックス１９４ａとからなる。
この壁部１９６の調整支持部１９７は、ローラボックス１９４ａから一対の排紙ローラ１９４ｂの一方端の各軸支部分を結ぶ線上に垂下する第１ボスとしての突出棒（ボス）１９８と、壁部１９６に形成され、突出棒１９８に係合する第１係合孔部としての丸孔部（位置決め孔）１９８ａとからなる第１支持部材と、ローラボックス１９４ａから一対の排紙ローラ１９４ｂの他方端の各軸支部分を結ぶ線上に垂下する第２ボスとしての突出片（ボス）１９９と、壁部１９６に形成され、突出片１９９に係合する第２係合部としてのスリット部（位置決め孔）１９９ａと、突出片１９９をスリット部１９９ａの所定位置に固定支持する固定具１９９ｂとからなり、このスリット部１９９ａと丸孔部（位置決め孔）１９８ａとを結ぶ線を、用紙接触用壁面１９５に予め平行とする第２支持部材とで構成される。
【００４５】
かくして、壁部１９６は、その突出棒１９８を丸孔部１９８ａに挿通させ、突出片１９９をスリット部１９９ａに水平方向に位置変更可能に挿通させ、固定具１９９ｂで固定支持することによって、用紙接触用壁面１９５を、排紙ローラ１９４ｂのローラ軸と平行に予め設定できる。このように、用紙接触用壁面１９５を、排紙ローラ１９４ｂのローラ軸と平行にすることによって、画像形成済み用紙を、一定の方向に排紙でき、それによって、画像形成済み用紙が不揃いになるのを防止できる。
【００４６】
ここで、壁部の突出片１９９は、スリット部１９９ａに挿通させている。従って、スリット部１９９ａは、壁部１９６の長さが少し変っても、突出片１９９を挿通状態に維持でき、排紙ローラ１９４ｂの長さ（両端の間の距離）寸法のバラツキを吸収できる。
なお、この実施の形態２の構成が有効なケースは、排紙ローラボックス（ユニット）と装置本体（本体フレーム）との間での位置ズレが大きく、壁部の部品歪みは無視できる場合である、
＜他の実施の形態＞
【００４７】
本発明に係る画像形成装置の用紙積載部と壁部は、一体的に設けられていても良い。また、用紙積載部と壁部を分離可能に設け、用紙積載部を取り外して後処理ユニットに交換できるよう構成しても良い。
【図面の簡単な説明】
【００４８】
【図１】本発明に係る画像形成装置の実施の形態１および２を共通に示す全体構成説明図である。
【図２Ａ】本発明に係る画像形成装置の実施の形態１の要部説明平面図である。
【図２Ｂ】図２Ａと同じく要部説明側面図である。
【図２Ｃ】実施の形態１の壁部の説明斜視図である。
【図３Ａ】本発明に係る画像形成装置の実施の形態２の要部説明平面図である。
【図３Ｂ】図３Ａと同じく要部説明側面図である。
【図３Ｃ】実施の形態２の壁部の説明斜視図である。
【符号の説明】
【００４９】
１・・・・・・・露光ユニット
２・・・・・・・現像器
３・・・・・・・感光体ドラム
４・・・・・・・クリーナユニット
５・・・・・・・帯電器
６・・・・・・・中間転写ベルトユニット
７・・・・・・・画像形成部
８・・・・・・・用紙供給部
９・・・・・・・排紙部
９ａ・・・・・・用紙載置部
９ｂ・・・・・・壁部
１０・・・・・・転写ローラ
１１ａ、１１ｂ・ピックアップローラ
１２ａ〜１２ｄ・搬送ローラ
１３・・・・・・レジストローラ
６１・・・・・・中間転写ベルト
６２・・・・・・中間転写ベルト駆動ローラ
６３・・・・・・中間転写ベルト従動ローラ
６４・・・・・・中間転写ローラ
６５・・・・・・中間転写ベルトクリーニングユニット
【００５０】
７０・・・・・・定着ユニット
７１・・・・・・ヒートローラ
７２・・・・・・加圧ローラ
７３・・・・・・外部加熱ベルト
８１・・・・・・給紙カセット
８２・・・・・・手差し給紙カセット
９１・・・・・・排紙トレイ
９２・・・・・・原稿載置台
９３・・・・・・用紙載置部
９４・・・・・・排紙ローラ部
９４ｂ・・・・・排紙ローラ
９５・・・・・・壁面
９６・・・・・・壁部
９７・・・・・・壁部の調整支持部
９８・・・・・・突出棒
９８ａ・・・・・丸孔部
９８ｂ・・・・・内折り曲げ片
９９・・・・・・外折り曲げ片
９９ａ・・・・・長孔部
９９ｂ・・・・・指針
９９ｃ・・・・・ビス
１００・・・・・画像形成装置
１１０・・・・・装置本体
１２０・・・・・自動原稿処理装置
２００・・・・・目盛刻印
【図１】
0005081721.tif 000002
【図２Ａ】
0005081721.tif 000003
【図２Ｂ】
0005081721.tif 000004
【図２Ｃ】
0005081721.tif 000005
【図３Ａ】
0005081721.tif 000006
【図３Ｂ】
0005081721.tif 000007
【図３Ｃ】
0005081721.tif 000008